(57)【特許請求の範囲】
【請求項１】
ロープ材の途上を把持し、ロープ材に設定以上の張力が作用した時に、ロープ材の摺動を許容することにより衝撃を吸収する衝撃吸収柵用のロープ材把持装置において、ロープ材を挿通可能な把持溝を有する箱体と当該箱体の把持溝に対向して、ロープ材を押圧する複数の突起部を有する蓋状の押圧具からなり、
箱体の把持溝の断面形状の幅寸法がロープ材外形寸法より小さく深さ寸法がロープ材外接円半径より大きく外形寸法より小さく設定してあり、
この箱体の把持溝と押圧具の間にロープ材を所定以上の張力にて摺動可能に把持固定したことを特徴とする衝撃吸収柵用ロープ材把持装置。
【請求項２】
押圧具の突起部ロープ材押圧面が、ロープ材を包み込む凹部形状からなり、複数の突起部の配置間隔がロープ材ストランドピッチの１／２の倍数になるように設定したことを特徴とする請求項１記載の衝撃吸収柵用ロープ材把持装置。
【発明の詳細な説明】
【０００１】
【発明の属する技術分野】
本発明は、落石防護用柵あるいはガードロープ等に用いられる衝撃吸収柵用ロープ材把持装置に関し、小型で取り付けやすく、安定して高エネルギー吸収を得るのに効果的なロープ材把持構造に係る。
【０００２】
【従来の技術】
落石防護柵やガードロープ等には落石等の衝撃を吸収して受け止めるために例えば、図９に示すように、支柱間に複数の横ロープ材を張り巡らす際に、支柱に取り付けた把持金具で横ロープ材の端に余長をもって横ロープ材の途上を把持し、落石等を受ける際の衝撃をこの把持金具の横ロープ材把持面での摺動摩擦抵抗によりエネルギーを吸収する方法が従来から採用されている。
また、図９に示すように、上記横ロープ材を複数の縦ロープ材にてクロス把持金具を用いて軟結合し、この軟結合部の摺動摩擦抵抗にてエネルギー吸収する方法も必要に応じて採用されている。
【０００３】
これまでにロープ材の把持構造としては、図１１（イ）に示すように、ロープ材１３０のガイド溝１１１を設けた２枚の金属板１０１、１０２でロープ材を挟み込んだものや、図１１（ロ）に示すように、ロープ材の局所を特殊形状の係止部材１１３を用いて挟持するものがである。
しかし、衝撃吸収柵用に一般に供されるロープ材３０は、ワイヤロープと称され、図８に示すように、素線３１をより合わせてストランド３２を作り、このストランド数本をさらに心綱３３のまわりにより合わせたものであり、ストランドの素線数やストランド数を多くすればより円に近い外形形状のロープ材となるが、非常に高価なワイヤロープとなるため安価で素線強度の高いものとして例えば、図８に示すようにストランド数３×素線（１＋６）のものが使用されている。
従って、外形断面形状は三角形に近いので、上記図１１（イ）に示すような２枚の金属板でロープ材を挟み込む構造や、図１１（ロ）に示す局所を挟持する構造ではロープ材との金属板当接部は点当たりに近く、局所的押圧力により素線が切れたり、押圧が一定にならずにロープ材の把持力にバラツキが生じ、安定してエネルギー吸収が出来なかった。
【０００４】
また、図１０に示すような金属板の挟持溝に湾局部１１２を設けたロープ材の把持構造もあるが、この場合にもロープ材の外形が円よりも三角形に近く、しかも長手方向に外形がラウンドしているので、ロープ材に均等に与圧することが出来ない技術的課題があった。
さらに、ロープ材を取り付ける際にも局所的に押圧するので高トルクが要求され、特殊な部品形状や道具も必要であった。
【０００５】
【発明が解決しようとする課題】
本発明は、上記実状に鑑みてロープ材の把持金具への取り付けが容易で均一な押圧力を付与できることにより、安定した摺動抵抗が得られる高エネルギー吸収性に優れた衝撃吸収柵用ロープ材把持装置の提供を目的とする。
【０００６】
本発明は、ロープ材の途上を把持し、ロープ材に設定以上の張力が作用した時に、ロープ材の摺動を許容することにより衝撃を吸収する衝撃吸収柵用のロープ材把持装置において、ロープ材を挿通可能な把持溝を有する箱体と当該箱体の把持溝に対向して、ロープ材を押圧する複数の突起部を有する蓋状の押圧具からなり、箱体の把持溝の断面形状の幅寸法がロープ材外形寸法より小さく深さ寸法がロープ材外接円半径より大きく外形寸法より小さく設定してあり、この箱体の把持溝と押圧具の間にロープ材を所定以上の張力にて摺動可能に把持固定したことを特徴とする。
【０００７】
このように箱体にロープ材を挿通するための把持溝を設け、押圧具に設けた複数の突起部にてロープ材を上記把持溝に押圧する構成になっているのでロープ材は、把持溝の底部のみならず、両側の側面にてもロープ材と当接することになり安定した摩擦力が発生するように作用する。
【０００８】
本発明は、ロープ材が上記把持溝に、より確実に均一に当接させるためにされたもので、箱体の把持溝の断面形状の幅寸法がロープ材外形寸法より小さく、深さ寸法がロープ材外接円半径より大きく外形寸法より小さくなるように設定した。
【０００９】
図２に示した把持溝の断面形状例に基づいて具体的に説明すると、深さ寸法ｄをロープ材３０の半径より大きくしたので、ロープ材が把持溝に圧入される際にロープ材の中心が把持溝１１の上端１１ａより溝内部側に位置することになるので、ロープ材の素線が溝の外にはみ出すことなく把持溝底部及び両側の側面にて、より確実に当接把持するように作用する。
この場合に、把持溝上端１１ａ（押圧具突起部逃げ面）から箱体上面１ａまでのロープ材の案内部を形成している箱体上面案内幅寸法Ｃをロープ材外形より大きくし、Ｒ形状１ｂとすることが望ましく、そうすることによりロープ材の圧入がより容易になり、素線のはみ出しを防止できる。
【００１０】
本発明は、より安定して摺動抵抗を得るために、押圧具の突起部ロープ材押圧面が、ロープ材を包み込む凹部形状からなり、複数の突起部の配置間隔がロープ材ストランドピッチの１／２の倍数になるように設定してもよい。
【００１１】
このように、ロープ材を押圧する際、図１に示すようにロープ材３０に直接当接する押圧具２の突起部押圧面２１ａを凹部形状としたことにより、箱体の把持溝にロープ材を押圧する際にロープ中心が把持溝の中心にくるよう作用し、突起部２１の配置間隔を図８（イ）に示すロープ材ストランドピッチＳＰの１／２になるように設定したので箱体と押圧具を締結するボルト及びナットからなる締結部材に所定の締め付けトルクを付加すると複数の突起部に均一に与圧がかかることになる。
【００１２】
【発明の実施の形態】
以下、図面に基づいて本発明の実施の形態例について説明する。
図１に示すように、ロープ材把持装置Ｅ１は、ロープ材３０を収容する箱体１と箱体１に収容したロープ材３０を押圧する複数個の突起部２１を有する押圧具２及び箱体と押圧具とを締結するボルト３、ワッシャ４、ナット５により構成される。
箱体１は、図１及び図２に示すように、ロープ材把持装置をＵボルト等を用いて支柱等に取り付ける為の取付穴１３、ロープ材を圧装する把持溝１１、この把持溝にロープ材を案内する案内溝１２、押圧具の複数個の突起部を逃がすための凹部形状の逃げ部１２ａ、押圧具を押し付けるためのボルトを通す穴を有する。
把持溝幅寸法ａを、収納ロープ材３０の外径ｂより小さくし、把持溝深さ寸法ｄをロープ材半径より大きくし、長さをロープ材のストランドピッチＳＰ以上（理想的には２倍が良い）に設定し、把持溝側面とロープ材外径部が絶えず均等に接触して摩擦力を発生する様な形状になっている。
例えば、ロープ材の外径１８ｍｍの場合には把持溝幅寸法を１５ｍｍにし、把持溝深さ寸法を１０．５ｍｍに設定した。
案内溝の断面形状はロープ材を押圧し易く、ロープ材の素線がはみ出さないよう入口側をラッパ状に開き且つ、入口をＲ形状１ｂにしてある。箱体１のボルト装入側には、ボルトの回り止めの役目を持たせた回り止め突起１４が設けられている。
押圧具２は、板又はブロックの片面に複数個の突起部２１を設け、ロープ材を箱体に押しつける。この突起部２１は、ロープ材の長手方向に配置し、そのピッチはロープ材のストランドピッチＳＰの１／２に合わせて配置してある。これに押圧具を押し付けるためのボルト穴から構成されている。
押圧具２の突起部２１は、ロープ材を押し付ける際、作用力の方向がロープ材の中心へ向かうよう押圧面２１ａが半円形状に設定されており、箱体１の把持溝１１形状とあいまってロープ材の素線が溝の外へはみ出さない様になっている。
【００１３】
箱体１の把持溝１１に、ロープ材３０の途上を収容し、押圧具２の突起部２１の押圧面２１ａをロープ材の上に載せ、押し付け力を出すために箱体裏側よりボルト３を通し、押圧具２に連通し、ワッシャ４、ナット５を介して締め付ける。この時、ボルト３の頭は回り止め１４に当たり、共回りは避けられる。
又、ロープ材は案内溝のラッパ状部に案内され、更に、押圧具２の突起２１の半円形状の押圧面２１ａによりロープ材は溝の中心部へ押し込まれていく。ロープ材の把持力は、押圧具２を押し付けるナット５の締め付け力により決められる。
落石や走行車両の衝突等の要因により、ロープ材３０に衝撃力が作用すると、この衝撃力は、ロープ材３０に張力として作用し、さらにこの張力は、ロープ材把持装置に伝達される。
ロープ材３０は、図１に示すように、押圧具２の突起部２１の押圧面２１ａと箱体１の把持溝１１との間の摩擦抵抗により把持されている。従って、ロープ材３０に作用する張力が、前記設定摩擦力以下の場合は、ロープ材３０は摺動することはない。
ロープ材３０に作用する張力が設定摩擦力を越えると、ロープ材３０が摺動を開始して、摺動摩擦抵抗により衝撃エネルギーが効果的に減衰される。
【００１４】
本発明に係る把持装置を、２本のロープ材を同時に把持する２本溝ロープ材把持装置Ｅ２に適用した例を図４に示す。
２本溝ロープ把持装置は、ロープ材３０を収容する箱体４１と箱体４１に収容したロープ材３０を押圧する複数個の突起部を有する押圧具４２、及び箱体と押圧具とを締結するボルト４３、ワッシャ４４、ナット４５により構成されている。
取付穴５３は、Ｕボルトを用いて把持装置を取り付けるための穴である。
把持溝及び押圧具の突起部構造はＥ１と同じである。
【００１５】
この発明に係る把持装置Ｅ１又はＥ２を取り付ける方法の例を図３にて説明すると、支柱８１に溶接等されたブラケット８２にＵボルト９３を通し、このＵボルト９３にロープ材３０を押圧セットされた把持装置Ｅの取付穴１３を通し、ワッシャ９１、ナット９２により締め込み、ロープ材３０にテンションを与えロープ材を設置する。また、図５に示すように、アンカーボルトブラケット８３にＵボルトを通してロープ材にテンションを与える使い方や、図６に示すように支柱等のステーを支える使い方もある。
この場合にロープ材の端にストッパー３５が取り付けられ、ロープ材の途上を把持していることになる。
【００１６】
本発明に係る把持装置を図９に落石防護柵の横ロープ３０と縦ロープ６０をクロスに把持するクロス把持金具Ｅ３に適用した例を図７に示す。
この場合に、上プレート７１と下プレート７２にそれぞれロープ材把持溝１１及び押圧具に相当する突起部２１が設けられていることになる。
図９に示すように、横ロープ材把持装置Ｅ１と横ロープ材と縦ロープ材の結合部にこのクロス把持金具Ｅ３を適用し、クロス把持金具Ｅ３の把持力Ｆ３を横ロープ材把持装置Ｅ１の把持力Ｆ１より大きく設定し、且つロープ材の切断力Ｆ０より小さく設定するとロープ材は互いに相互の摩擦力に抗して摺動するので、ある特定のロープ材のみが摺動して横ロープ材と縦ロープ材のマス目が大きくなることはなくなるように作用し、結果として柵全体で岩石の衝撃エネルギーを吸収して受け止めることができる。
【００１７】
【発明の効果】
本発明は、以上説明したような構造、作用から次のような効果を奏する。
ロープ材外径より小さい溝幅で、絶えず溝幅の側面全体の摩擦でエネルギーを吸収するため、少ない締め付けトルクで衝撃を吸収出来る。従って、締め付け用ボルトの本数及びサイズを従来の金具に比して大幅に低減出来る。
溝長さをストランドピッチ以上、且つ押圧具の突起の配置をストランドピッチの１／２に合わせると、突起物の押圧面により、少ない摩擦面で安定した張力を得ることが出来るため、従来の把持具に比べ、大幅に小型化することが出来る。
従って、図４に示した如く、従来の把持具では金具が大型化し実用化出来なかった２本溝把持具の採用も可能になった。
【００１８】
ボルト本数の減少、締め付けトルク低減、金具の軽量化により施工の際の作業工数が大幅に低減される。更には、材料費及び工事費が従来に比べ大幅に低減出来る。又、施工の際の工具類は従来から有る工具類で対応出来るため、特殊な高価な工具類を必要としない。
【図面の簡単な説明】
【図１】本発明に係るロープ材把持装置を示し、（イ）正面図  （ロ）側面図を示す。
【図２】箱体のロープ材圧装部断面図を示す。
【図３】本発明に係るロープ材把持装置を用いて支柱にロープ材を取り付けた例を示す。
【図４】２本溝タイプの本発明に係るロープ材把持装置を示す。
【図５】本発明に係る把持装置を地山又はコンクリート壁等に取り付けた例を示す。
【図６】ネットの支えロープ材に適用した例を示す。
【図７】本発明に係るロープ材把持装置をクロス把持金具に適用した例を示す。
【図８】ワイヤロープを示す。
【図９】本発明に係るロープ材把持装置を落石防護柵に適用した例を示す。
【図１０】従来の把持金具構造例を示す。
【図１１】従来の他の把持金具構造の例を示す。
【符号の説明】
Ｅ１    １本溝タイプの把持装置
Ｅ２    ２本溝タイプの把持装置
Ｅ３    クロス把持金具
１      箱体      １ａ  箱体上面      １ｂ    箱体上面案内溝Ｒ
１１  把持溝        １１ａ  把持溝上端
１２  案内溝        １２ａ  押圧具突起部の逃げ部
２      押圧具    ２１  押圧具突起部  ２１ａ  押圧具突起部押圧面
３      箱体と押圧具締結ボルト
４      箱体と押圧具締結ワッシャ
５      箱体と押圧具締結ナット
３０    ロープ材
３１    素線
３２    ストランド
３３    心綱
３４    補強線
３５    ストッパー
６０    ロープ材（縦ロープ材）
ａ      把持溝幅寸法
ｂ      ロープ材外径
ｃ      案内溝開口部寸法
ｄ      把持溝深さ寸法
４１    ２本溝箱体
４２    ２本溝用押圧具
４３    ２本溝用ボルト
４４    ２本溝用ワッシャ
４５    ２本溝用ナット
５３    ２本溝用箱体取り付け孔
８１    支柱
８２    取り付けブラケット
８３    アンカーボルトブラケット
９１    Ｕボルト取り付けワッシャ
９２    Ｕボルト取り付けナット
９３    Ｕボルト
ＳＰ    ストランドピッチ
【図１】
0004459473.tif 000002
【図２】
0004459473.tif 000003
【図３】
0004459473.tif 000004
【図４】
0004459473.tif 000005
【図５】
0004459473.tif 000006
【図６】
0004459473.tif 000007
【図７】
0004459473.tif 000008
【図８】
0004459473.tif 000009
【図９】
0004459473.tif 000010
【図１０】
0004459473.tif 000011
【図１１】
0004459473.tif 000012